(57)【要約】【課題】花器製作方法において、不要物となる使用済みの容器本体から花器を製作し、廉価で、軽量化を図り、また、見栄えを良くし、しかも、保管や搬送等を容易にさせることにある。【解決手段】不要物となる使用済みの容器本体（２）を利用して花器（１）を製作する花器製作方法において、容器本体（２）を所望形状に加工するステップと、容器本体（２）に装飾物（１４）を貼り付けるステップとを含んでいる。【選択図】図３
2016016078.tif 000002
【特許請求の範囲】
【請求項１】
不要物となる使用済みの容器本体を利用して花器を製作する花器製作方法において、前記容器本体を所望形状に加工するステップと、前記容器本体に装飾物を貼り付けるステップとを含むことを特徴とする花器製作方法。
【請求項２】
前記容器本体を所望形状に加工する前に、前記容器本体の外表面に前記装飾物を貼り付けるステップを含むことを特徴とする請求項１に記載の花器製作方法。
【請求項３】
前記容器本体を所望形状に加工した後に、前記容器本体の外表面に前記装飾物を貼り付けるステップを含むことを特徴とする請求項１に記載の花器製作方法。
【請求項４】
前記装飾物は、所望形状に加工された前記容器本体の形を維持する機能と、前記容器本体の外表面を装飾する機能とを有することを特徴とする請求項１に記載の花器製作方法。
【請求項５】
不要物となる使用済みの容器本体を利用して花器を製作する花器製作方法において、前記容器本体の上部位を裁断線で裁断して箱状体を形成するステップと、前記箱状体に前記裁断線から底壁部に向かって所望の高さまで螺旋状の破断線を形成するステップと、前記破断線に沿って破断された所定幅の帯状部を前記箱状体に装飾するステップとを含むことを特徴とする花器製作方法。
【発明の詳細な説明】
【技術分野】
【０００１】
この発明は、花器製作方法に係り、特に不要物となる使用済みの容器本体を利用して花器を製作する花器製作方法に関する。
【背景技術】
【０００２】
従来、花器等としての容器は、一般に、ガラス、陶磁器、プラスチック製等であって、筒状、壺状等に成形される。
しかし、ガラス、陶磁器、プラスチック製等で成形された花器は、高価で、重量が大きくなり、しかも、保管や搬送等で面倒であった。
容器として、例えば、使用済みの容器本体としての牛乳パックを利用するものがある。
このように、牛乳パックを利用するものとしては、例えば、以下の先行技術文献がある。
【先行技術文献】
【特許文献】
【０００３】
【特許文献１】特開２０００−１６０９７６号公報  特許文献１に係る牛乳パックインサニタリーボックスは、牛乳パックを利用して汚物を入れる構造である。
【発明の概要】
【発明が解決しようとする課題】
【０００４】
ところで、花器は、未だ、ガラス、陶磁器、プラスチック製等で多数成形されている。このため、高価で、重量が大きくなり、しかも、保管や搬送等で面倒であることから、廉価で、見栄えの良い花器を製作できないか、望まれていた。
【０００５】
そこで、この発明は、不要物となる使用済みの容器本体から花器を製作し、廉価で、軽量化を図り、また、見栄えを良くし、しかも、保管や搬送等を容易にさせる花器製作方法を提供することにある。
【課題を解決するための手段】
【０００６】
この発明は、不要物となる使用済みの容器本体を利用して花器を製作する花器製作方法において、前記容器本体を所望形状に加工するステップと、前記容器本体に装飾物を貼り付けるステップとを含むことを特徴とする。
【発明の効果】
【０００７】
この発明は、不要物となる使用済みの容器本体から花器を製作し、廉価で、軽量化を図り、また、見栄えを良くし、しかも、保管や搬送等を容易にさせる。
【図面の簡単な説明】
【０００８】
【図１】図１は捩れ等の加工によって製作された花器の斜視図である。（実施例１）
【図２】図２は牛乳パックの斜視図である。（実施例１）
【図３】図３（Ａ）は天壁部が取り除かれ且つ加工用補助線が施かされた牛乳パックの斜視図である。図３（Ｂ）は装飾物が貼り付けられた牛乳パックの斜視図である。図３（Ｃ）は牛乳パックの捩る方向を示す牛乳パックの斜視図である。（実施例１）
【図４】図４（Ａ）は天壁部が取り除かれ且つ加工用補助線が施かされた牛乳パックの斜視図である。図４（Ｂ）は牛乳パックの捩る方向を示す牛乳パックの斜視図である。図４（Ｃ）は捩られて変形した牛乳パックの斜視図である。（実施例１）
【図５】図５は牛乳パックを加工する前に装飾物を貼り付け、牛乳パックを捩り加工した場合の一部拡大断面図である。（実施例１）
【図６】図６は牛乳パックを捩り加工した後に装飾物を貼り付けた場合の一部拡大断面図である。（実施例１）
【図７】図７は捩り等の加工によって上部位と中部位と下部位とが略同じ大きさに形成された花器の斜視図である。（実施例１）
【図８】図８は捩り等の加工によって下部位が上部位よりも大きく形成された花器の斜視図である。（実施例１）
【図９】図９（Ａ）は天壁部が取り除かれた牛乳パックの斜視図である。図９（Ｂ）は装飾物が貼り付けられた牛乳パックの斜視図である。図９（Ｃ）は係止用具が取り付けられた牛乳パックの斜視図である。（実施例１）
【図１０】図１０は牛乳パックの天壁部が取り除かれて形成され且つ破断線が施された箱状体の斜視図である。（実施例２）
【図１１】図１１は箱状体から破断線に沿って破断されて形成された帯状部を示す拡大斜視図である。（実施例２）
【図１２】図１２は花器の正面図である。（変形例）
【発明を実施するための形態】
【０００９】
この発明は、不要物となる使用済みの容器本体から花器を製作し、廉価で、軽量化を図り、また、見栄えを良くし、しかも、保管や搬送等を容易にさせる目的を、使用済みの容器本体を捩ったりして加工するとともに、使用済みの容器本体に装飾物を貼り付けて実現するものである。
【実施例１】
【００１０】
図１〜図９は、この発明の実施例１を示すものである。
図１に示すように、花器１は、不要物となる使用済みの容器本体として、例えば、牛乳パック２（図２参照）を利用して構成される。花器１は、例えば、卓上のものとして用いられ、上部位１Ａと中間部位１Ｂと下部位１Ｃとからなり、特に中間部位１Ｂが大きく捩り加工（変形）されている。
牛乳パック２は、図２に示すように、前壁部３と後壁部４と一側壁部５と他側壁部６と底壁部７とを備えるとともに、前壁部３・後壁部４と一側壁部５・他側壁部６との各上部に連続した４つの前天壁部８・後天壁部９と一側天壁部１０・他側天壁部１１とを備える。また、一側天壁部１０の一側上辺部１２と他側天壁部１１の他側上辺部１３とは、接着される。
また、牛乳パック２は、耐水性があって、水を入れても、水がにじんだりせず、また、漏れ出ない構造である。
【００１１】
花器１は、以下のステップを含んだ製作方法で製作される。
（１）、容器本体である牛乳パック２を所望形状に加工（カット、曲げ、捩り、シワ、シワを付けた後に広げる、絞り等の変形）するステップ。
（２）、牛乳パック２に装飾物１４を貼り付けるステップ。
（３）、牛乳パック２を所望形状に加工（捩り変形）する前に、牛乳パック２の外表面に装飾物１４を貼り付けるステップ。
（４）、牛乳パック２を所望形状に加工（捩り変形）した後に、牛乳パック２の外表面に装飾物１４を貼り付けるステップ。
【００１２】
また、この実施例１において、装飾物１４は、所望形状に加工（変形）された牛乳パック２の形を維持する機能と、牛乳パック２の外表面を装飾する機能とを有する。
装飾物１４は、例えば、布、紙、金箔等の平面的（シート状）なものであったり、立体的（動物、昆虫、鳥等の立体形状）なものでも可能である。
また、装飾物１４は、ある程度引っ張られても破損しない靭性を有するものである。
更に、装飾物１４は、牛乳パック２の外表面及び／又は内面に貼り付けることも可能である。
【００１３】
次に、花器１の製作方法について、以下のように例示する。
第１の製作方法
図３（Ａ）に示すように、先ず、牛乳パック２の各天壁部８〜１１は、裁断線Ｃにおいてハサミやカッタ等の裁断具（図示せず）によって裁断（カット）され、取り除かれる。この場合、裁断線Ｃは、水平カット線、斜面カット線、波形カット線等であって、所望の裁断線である。
また、牛乳パック２の前壁部３・後壁部４・一側壁部５・他側壁部６の外表面や角部位には、複数の加工用補助線（例えば、折曲用線）Ｍを、牛乳パック２を所望形状に加工（捩り変形等）させたい箇所に施す。これにより、牛乳パック２は、所望形状に容易に加工（捩り変形等）される。なお、この場合、牛乳パック２を所望形状に容易に変形させるために、牛乳パック２に熱を加えることも可能である。
そして、図３（Ｂ）に示すように、牛乳パック２の前壁部３・後壁部４・一側壁部５・他側壁部６の外表面には、装飾物１４を貼り付ける。この装飾物１４は、例えば、平面的（シート状）なものであり、のり等の接着剤によって牛乳パック２の外表面に貼り付けられる。この場合、牛乳パック２の外表面には、所望により、装飾物１４を、全体的あるいは部分的あったり、また、模様を施すように貼り付けることが可能である。
次いで、図３（Ｃ）に示すように、一方の手で牛乳パック２の底壁部７側を保持するとともに、他方の手で牛乳パック２の上部側を保持し、一方の手と他方の手とを相対的に逆に回して（一点鎖線の矢印Ｒ１、Ｒ２で示す）、装飾物１４が貼り付けられた牛乳パック２を捩って所望形状に変形させる。この場合、牛乳パック２は、大部分が塑性変形した状態となる。また、このとき、装飾物１４は、捩られて変形した牛乳パック２が弾力で元に戻らないように、この牛乳パック２の変形後の形を保持する機能を有する。
従って、花器１は、装飾物１４が牛乳パック２と共に一体的に捩られることから、図５に示すように、変形によって形成された複数の変形後折曲線Ｇにより独特の縞模様となり、特徴的な外観を醸し出すことができる。
その後、牛乳パック２内には、上方から、水を入れ、また、花を挿す。
この結果、不要物となる使用済みの牛乳パック２から花器１を製作し、これにより、廉価で、軽量化を図り、また、見栄えを良くし、しかも、保管や搬送等を容易にさせる。
【００１４】
第２の製作方法
図４（Ａ）に示すように、先ず、牛乳パック２の各天壁部８〜１１は、裁断線Ｃにおいてハサミやカッタ等の裁断具（図示せず）によって裁断（カット）され、取り除かれる。この場合、裁断線Ｃは、水平カット線、斜面カット線、波形カット線等であって、所望の裁断線である。
また、牛乳パック２の前壁部３・後壁部４・一側壁部５・他側壁部６の外表面や角部位には、複数の加工用補助線（例えば、折曲用線）Ｍを、牛乳パック２を所望形状に変形させたい箇所に施す。これにより、牛乳パック２を所望形状に容易に変形させることができる。なお、この場合、牛乳パック２を所望形状に容易に変形させるために、牛乳パック２に熱を加えることも可能である。
そして、図４（Ｂ）に示すように、一方の手で牛乳パック２の底壁部７側を保持するとともに、他方の手で牛乳パック２の上部側を保持し、一方の手と他方の手とを相対的に逆に回して（一点鎖線の矢印Ｒ１、Ｒ２で示す）、牛乳パック１が捩れるように所望形状に変形させる。この場合、牛乳パック２は、大部分が塑性変形した状態となる。
その後、図４（Ｃ）に示すように、この捩られて変形した牛乳パック２の外表面には、装飾物１４を貼り付ける。装飾物１４は、のり等の接着剤によって牛乳パック２の外表面に貼り付けられる。この装飾物１４は、捩られて変形した牛乳パック２が弾力で戻らないように、この牛乳パック２の変形後の形を所望形状に保持する機能を有する。この場合、牛乳パック２の外表面には、所望により、装飾物１４を、全体的あるいは部分的あったり、また、模様を施すように貼り付けることが可能である。
その後、牛乳パック２内には、上方から、水を入れ、また、花を挿す。
この結果、花器１は、捩られて変形した牛乳パック２の外表面が装飾物１４によって覆われることから、図６に示すように、凹部位の変形後折曲線Ｋを隠す等で、外表面の仕上げ状態を全体的に滑らかに見せることができる。
【００１５】
第３の製作方法
図７に示すように、花器１は、捩り等で加工された上部位１Ａと中部位１Ｂと下部位１Ｃとで、外形が略同じ大きさに形成される。
また、図８に示すように、花器１は、捩り等で加工された上部位１Ａの外形が小さくなる一方、下部位１Ｃの外形が大きくなるように形成される。
このような構造により、花器１の安定性をより高くすることができるとともに、見栄えを向上することができる。
なお、花器１においては、上部位１Ａ・下部位１Ｃの外形が大きくなる一方、中部位１Ｂの外形を小さくなるようにしたり、上部位１Ａと下部位１Ｃとにわたってランダムに形成することも可能である。
【００１６】
第４の製作方法
図９（Ａ）に示すように、先ず、牛乳パック２の前壁部３・一側壁部５・他側壁部６が同一高さの裁断線Ｃ１で裁断される一方、後壁部４が前壁部３・一側壁部５・他側壁部６よりも高い箇所の裁断線Ｃ２で裁断され、各天壁部８〜１１は、カットによって取り除かれる。この場合、裁断線Ｃ１、Ｃ２は、水平カット線、斜面カット線、波形カット線等であって、所望の裁断線とすることが可能である。後壁部４には、上方に延びる上側延部４Ａが形成される。
そして、図９（Ｂ）に示すように、牛乳パック２の前壁部３・後壁部４・一側壁部５・他側壁部６の外表面及び上側延部４Ａの表面には、装飾物１４を貼り付ける。この装飾物１４は、例えば、平面的（シート状）なものである。この場合、牛乳パック２の外表面及び上側延部４Ａの表面には、所望により、装飾物１４を、全体的あるいは部分的あったり、また、模様を施すように貼り付けることが可能である。
次いで、図９（Ｃ）に示すように、牛乳パック２の後壁部４の上側延部４Ａの上部には、係止用具１５を固定具１６で取り付ける。
このような構成により、花器１を壁掛けや吊り下げて使用することができ、使い勝手が良くなる。
【実施例２】
【００１７】
図１０、図１１は、この発明の実施例２を示すものである。
この実施例２においては、上述の実施例１と同一機能を果たす箇所には同一符号を付して説明する。
この実施例２の特徴とするところは、以下の点にある。即ち、花器１は、以下のステップを含んだ製作方法で製作される。
（１）、容器本体としての牛乳パック２の上部位の各天壁部８〜１１を裁断線Ｃで裁断して箱状体２１を形成するステップ。
（２）、箱状体２１に裁断線Ｃから底壁部７に向かって所望の高さＨまで螺旋状の破断線Ｄを形成するステップ。
（３）、破断線Ｄに沿って破断された所定幅Ｗの帯状部２２を箱状体２１に装飾するステップ。
【００１８】
次に、この実施例２に係る花器１の製作方法について、以下のように例示する。
図１０に示すように、先ず、牛乳パック２の各天壁部８〜１１は、裁断線Ｃにおいてハサミやカッタ等の裁断具（図示せず）によって裁断（カット）され、取り除かれる。この場合、裁断線Ｃは、水平カット線、斜面カット線、波形カット線等であって、所望の裁断線である。
次いで、箱状体２１には、裁断線Ｃから底壁部７に向かって所望の高さＨまで螺旋状の破断線Ｄを形成する。
そして、図１１に示すように、破断線Ｄに沿って破断されて形成された所定幅Ｗの帯状部２２を、箱状体２１の上部や内部等の所望箇所に装飾する。
この帯状部２２の装飾にあっては、箱状体２１に接続したまま帯状部２２を装飾したり、帯状部２２を一旦箱状体２１から離し、その後、帯状部２２を箱状体２１に装飾することも可能である。また、帯状部２２を、箱状体２１の内側や外側に装飾することも可能である。
その後、箱状体２１内には、上方から、水を入れ、また、花を挿す。さらに、例えば、花と共に帯状部２２を飾る。この場合、帯状部２２は、花の茎を保持する機能を備え、花が勝手に動かないように保持する。
この結果、不要物となる使用済みの牛乳パック２から花器１を製作し、これにより、廉価で、軽量化を図り、また、見栄えを良くし、しかも、保管や搬送等を容易にさせる。しかも、帯状部２２によって、花が動かないように保持したり、また、花の美しさを引き出すことが可能となる。
また、帯状部２２を吊り具として利用し、箱状体２１を帯状部２２によって吊す構造とすることも可能である。
【００１９】
また、この実施例２においては、牛乳パック２の上部位を裁断線Ｃで裁断して箱状体２１を形成した後で、螺旋状の破断線Ｄを形成する予定の高さＨまで箱状体２１の外表面と内面とに、異なる色を施すステップを追加することも可能である。
これにより、破断線Ｄによって破断された所定幅Ｗの帯状部２２の一面と他面とで異なる色になることから、帯状部２２の装飾後に、独特の雰囲気を醸す出すことが可能となる。
【００２０】
更に、この発明の変形例としては、図１２に示すように、牛乳パック２の上部位を裁断線Ｃで裁断して形成した箱状体２１の各壁部には所定間隔で縦方向に向かう複数の切断線３１を形成して複数の縦帯部３２を形成するとともに、この縦帯部３２の中間部位Ｅを水平方向に引っ張って外方に突出させ、花器１を製作することも可能である。
【００２１】
なお、この発明においては、容器本体としては、牛乳パックに限らず、ジュースパック、ペットボトル、箱等の容器を利用することも可能である。
また、容器本体を２個以上組み合わせた構造として、花器の安定性を高くしたり、下部スペースを重錘の収容スペースとすることも可能である。
更に、容器本体を所定の大きさ・形状に加工（カット、曲げ、捩り、シワ、シワを付けた後に広げる、絞り等の変形）するとともに、部分的に折曲し、特異な外観を形成し、使用時の花の保持を果たし、安定性を高くすることができる。
更にまた、従来の三角形状（いわゆるテトラ形状）の牛乳パックを利用し、ピラミット形状（正四面体）の牛乳パックの一部をカットして捩りタイプとしたり、一輪挿しタイプ等にすることも可能である。
また、牛乳パックの外表面のコーティング紙の部分を剥離し、このコーティング紙が剥離された後の牛乳パックの外表面に模様等を施すことも可能である。
【産業上の利用可能性】
【００２２】
この発明に係る花器製作方法は、花器に限らず、他の器の製作に対しても適用可能である。
【符号の説明】
【００２３】
１  花器
２  牛乳パック（不要物となる使用済みの容器本体）
３  前壁部
４  後壁部
５  一側壁部
６  他側壁部
７  底壁部
８  前天壁部
９  後天壁部
１０  一側天壁部
１１  他側天壁部
１２  一側上辺部
１３  他側上辺部
１４  装飾物
【図１】
2016016078.tif 000003
【図２】
2016016078.tif 000004
【図３】
2016016078.tif 000005
【図４】
2016016078.tif 000006
【図５】
2016016078.tif 000007
【図６】
2016016078.tif 000008
【図７】
2016016078.tif 000009
【図８】
2016016078.tif 000010
【図９】
2016016078.tif 000011
【図１０】
2016016078.tif 000012
【図１１】
2016016078.tif 000013
【図１２】
2016016078.tif 000014